(57)【要約】      （修正有）【課題】ヒンジ装置の破壊に伴う盗難を抑止しつつ外扉を最終段の開放角度まで連続して開放することが可能な自動販売機のヒンジ装置を提供する。【解決手段】外扉２が第１回転軸ＨＰ１および第２回転軸ＨＰ２を支点として開放することにより開放角度が漸増する自動販売機であって、前記第１回転軸ＨＰ１と第２回転軸ＨＰ２をリンク１２により直結し、前記リンク１２に第２回転軸ＨＰ２を支点として外扉２を閉成する方向に付勢する付勢手段を設け、外扉２の開放当初から外扉２の左枠２Ａがリンク１２に当接するまでの第１段階の期間中には外扉２は第１回転軸ＨＰ１を支点として開放し、外扉２の左枠がリンク１２に当接した後外扉２を開放する外力（付勢手段に抗する外力）がリンク１２に加えられると第２回転軸ＨＰ２を支点として第２段階まで開放するようにし、外扉２の第１段階から第２段階への移行をスムーズに行うことができる。【選択図】図３
2010003289.tif 000002
【特許請求の範囲】
【請求項１】
前面が開口した本体キャビネットと、この本体キャビネットの前面にヒンジ装置を介して開閉可能に配設された外扉を備え、前記ヒンジ装置が外扉の内部に取付けられた第１回転軸と本体キャビネットの内部に取付けられた第２回転軸および前記第１回転軸，第２回転軸を連結し、外扉の内部側に屈曲したリンクからなり、前記外扉が第１回転軸および第２回転軸を支点として第１段階から第２段階に回動することにより開放角度が漸増する自動販売機のヒンジ装置において、前記第１回転軸と第２回転軸をリンクにより直結し、前記リンクは第２回転軸を支点として外扉を閉成する方向に付勢する付勢手段を備えることを特徴とする自動販売機のヒンジ装置。
【請求項２】
請求項１記載の自動販売機のヒンジ装置において、付勢手段は第２回転軸に巻回され、一端が本体キャビネットに係止されるとともに他端がリンクに係止されたコイルばねからなることを特徴とする自動販売機のヒンジ装置。
【請求項３】
請求項１記載の自動販売機のヒンジ装置において、付勢手段は前記リンクを弾性材料により形成するとともに本体キャビネットに当接する係合片としたことを特徴とする自動販売機のヒンジ装置。
【請求項４】
請求項１乃至請求項３のいずれかに記載の自動販売機のヒンジ装置において、外扉が第２回転軸を支点として回動する第２段階から第１回転軸を支点として回動する第１段階に移行した際、第１回転軸を元の定位置に復帰させるガイド機構を有してなることを特徴とする自動販売機のヒンジ装置。
【請求項５】
請求項４記載の自動販売機のヒンジ装置において、ガイド機構は本体キャビネットの基台に設けられ、第１回転軸の軸線上に位置するガイド軸、および外扉に形成され、前記ガイド軸に嵌合するとともに外扉が第２回転軸を支点として回動する際に第１回転軸が移動する軌跡に一致した湾曲形状のガイド溝からなり、外扉が第１回転軸を支点として第１段階においてはガイド軸とガイド軸とが嵌合し、外扉が第２回転軸を支点に回動する第２段階においてはガイド軸とガイド溝との嵌合が解除されるよう構成されてなることを特徴とする自動販売機のヒンジ装置。
【発明の詳細な説明】
【技術分野】
【０００１】
この発明は、前面が開口した本体キャビネットと、この本体キャビネットの前面に開閉可能に配設された外扉を備えた自動販売機に係り、特に、前記外扉を開閉可能に軸支するヒンジ装置を破壊することによる金品の盗難を防止するとともに外扉を開放して行う保守・管理の際の作業性に応じて外扉の開放角度を段階的に大きく開放することが可能な自動販売機のヒンジ装置に関するものである。
【背景技術】
【０００２】
例えば、缶入り飲料やペットボトル入り飲料などの商品を販売する自動販売機においては断熱構造になる本体キャビネットの前面開口を閉塞する外扉を備え、この外扉がヒンジ装置により本体キャビネットに片開き式に取付けられている。前記ヒンジ装置としては本体キャビネットの天板の上面に固着され、かつ、外扉に向けて延在する先端側にヒンジピンが固着されたヒンジ金具を設け、前記ヒンジピンに外扉を軸支するようにした、いわゆる外ヒンジ方式が主流を占めていた。ところが、前記外ヒンジ方式のヒンジ装置においてはヒンジピンが自動販売機の外部に露出しており、前記ヒンジピンを切断して金品を盗むという盗難の被害が発生している。このような盗難の手口に対してはヒンジピンの硬度を高める手法やヒンジピンの周囲を覆う手法などの防盗対策により対処しているが、外部に露出したヒンジ装置を破壊しようとする被害が跡を絶たない。
【０００３】
このため、外部から見えないようにヒンジ装置を自動販売機の内部に収めた、いわゆる内ヒンジ方式のヒンジ装置が出現している。この内ヒンジ方式のヒンジ装置においてはヒンジ装置が外部に露出しないことからヒンジ装置の破壊による盗難の被害を防ぐことができる一方、ヒンジ装置が自動販売機に内蔵されている構造上の問題から外扉の開放角度を大きくすることができないという問題を有していた。この問題を解決するため、外扉と本体キャビネットとにそれぞれ回転軸を設けた２軸方式とし、外扉の回転角度を第１段階では例えば９０°、第２段階では１３５°に切り換えるようにした自動販売機のヒンジ装置が知られている（例えば、特許文献１）。
【先行技術文献】
【特許文献】
【０００４】
【特許文献１】特開２００５−１４１２９０号公報
【発明の概要】
【発明が解決しようとする課題】
【０００５】
前記特許文献１に開示された自動販売機のヒンジ装置は外扉に取付けられた第１回転軸と本体キャビネットに取付けられた第２回転軸とをピンを介してリンクにより連結し、常時はリンクをボルトにより固定して外扉が第１回転軸を中心に開放するように構成している。この場合、外扉の側面板がリンクに衝突するために外扉の開放角度は例えば９０°となる。外扉を９０°以上に開放する際にはボルトを外した後（リンクが可動状態となる）、外扉がリンクを介して第２回転軸を中心に開放するように構成されている。このため、特許文献１に記載された自動販売機のヒンジ装置においては防盗性の強化を図りつつ外扉の開放角度を大きくすることができる点で優れている。しかしながら、外扉を第１段階から第２段階に開放する際（第２段階から第１段階に閉成する際）にボルトを着脱する必要がある。このため、ボルトの着脱のための工具を必要とすることはもちろんのことボルト着脱の手間を要するので煩雑であり、更に外扉の開放（若しくは閉成）動作が途切れ途切れとなるという課題を有する。
【０００６】
そこで、本発明は前述した従来装置の課題を解決し、ヒンジ装置の破壊に伴う盗難を抑止しつつ外扉を最終段の開放角度まで連続して開放することが可能な自動販売機のヒンジ装置を提供することを目的とする。
【課題を解決するための手段】
【０００７】
前記目的を達成するため請求項１に係る発明は、前面が開口した本体キャビネットと、この本体キャビネットの前面にヒンジ装置を介して開閉可能に配設された外扉を備え、前記ヒンジ装置が外扉の内部に取付けられた第１回転軸と本体キャビネットの内部に取付けられた第２回転軸および前記第１回転軸，第２回転軸を連結し、外扉の内部側に屈曲したリンクからなり、前記外扉が第１回転軸および第２回転軸を支点として第１段階から第２段階に回動することにより開放角度が漸増する自動販売機のヒンジ装置において、前記第１回転軸と第２回転軸をリンクにより直結し、前記リンクは第２回転軸を支点として外扉を閉成する方向に付勢する付勢手段を備えることを特徴とする。
また、前記目的を達成するため請求項２に係る発明は、請求項１記載の自動販売機のヒンジ装置において、付勢手段は第２回転軸に巻回され、一端が本体キャビネットに係止されるとともに他端がリンクに係止されたコイルばねからなることを特徴とする。
【０００８】
さらに、前記目的を達成するため請求項３に係る発明は、請求項１記載の自動販売機のヒンジ装置において、付勢手段は前記リンクを弾性材料により形成するとともに本体キャビネットに当接する係合片としたことを特徴とする。
そして、前記目的を達成するため請求項４に係る発明は、請求項１乃至請求項３のいずれかに記載の自動販売機のヒンジ装置において、外扉が第２回転軸を支点として回動する第２段階から第１回転軸を支点として回動する第１段階に移行した際、第１回転軸を元の定位置に復帰させるガイド機構を有してなることを特徴とする。
そしてまた、前記目的を達成するため請求項５に係る発明は、請求項４記載の自動販売機のヒンジ装置において、ガイド機構は本体キャビネットの基台に設けられ、第１回転軸の軸線上に位置するガイド軸、および外扉に形成され、前記ガイド軸に嵌合するとともに外扉が第２回転軸を支点として回動する際に第１回転軸が移動する軌跡に一致した湾曲形状のガイド溝からなり、外扉が第１回転軸を支点として第１段階においてはガイド軸とガイド軸とが嵌合し、外扉が第２回転軸を支点に回動する第２段階においてはガイド軸とガイド溝との嵌合が解除されるよう構成されてなることを特徴とする。
【発明の効果】
【０００９】
本発明の請求項１に係る自動販売機のヒンジ装置においては、前面が開口した本体キャビネットと、この本体キャビネットの前面にヒンジ装置を介して開閉可能に配設された外扉を備え、前記ヒンジ装置が外扉の内部に取付けられた第１回転軸と本体キャビネットの内部に取付けられた第２回転軸および前記第１回転軸，第２回転軸を連結し、外扉の内部側に屈曲したリンクからなり、前記外扉が第１回転軸および第２回転軸を支点として第１段階から第２段階に回動することにより開放角度が漸増する自動販売機のヒンジ装置において、前記第１回転軸と第２回転軸をリンクにより直結し、前記リンクは第２回転軸を支点として外扉を閉成する方向に付勢する付勢手段を備えることにより、リンクは付勢手段により外扉を閉じる方向に付勢されていることからリンクに付勢手段の付勢力に抗する外力が加えられない限り回動しない。したがって、外扉の開放当初から外扉の側面板がリンクに当接するまでの第１段階の期間中には外扉は第１回転軸を支点として開放し、外扉の側面板がリンクに当接して外扉を開放する外力（付勢手段の付勢力に抗する外力）がリンクに加えられた後には第２回転軸を支点として第２段階まで開放する。よって、外扉を開放（若しくは閉成）する際に従来装置のようにボルトを着脱する手間を必要とせず、外扉の第１段階から第２段階への移行をスムーズに行うことができる。
【００１０】
また、本発明の請求項２に係る自動販売機のヒンジ装置においては、請求項１記載の自動販売機のヒンジ装置において、付勢手段は第２回転軸に巻回され、一端が本体キャビネットに係止されるとともに他端がリンクに係止されたコイルばねとしたことにより、第２回転軸を利用して付勢手段を容易に取付けることができる。
また、本発明の請求項３に係る自動販売機のヒンジ装置においては、請求項１記載の自動販売機のヒンジ装置において、付勢手段は前記リンクを弾性材料により形成するとともに本体キャビネットに当接する係合片としたことにより、付勢手段としてリンクを利用することができるので部品点数を増加することなく付勢手段を設けることができる。
また、本発明の請求項４に係る自動販売機のヒンジ装置においては、請求項１乃至請求項３のいずれかに記載の自動販売機のヒンジ装置において、外扉が第２回転軸を支点として回動する第２段階から第１回転軸を支点として回動する第１段階に移行した際、第１回転軸を元の定位置に復帰させるガイド機構を有してなることにより、第１段階における第１回転軸を常に定位置に保持することができる。すなわち、外扉開放の第１段階における軸となる第１回転軸が外扉を第２段階まで開放させた場合に本体キャビネット１の外部に移動することから、外扉自身の荷重や外扉に外力が加えられた場合にヒンジ装置に歪みや変形が生じて第１回転軸が元の位置からずれるおそれがあるが、前記ガイド機構を備えることにより第１回転軸を常に定位置に復帰させて保持することができるものである。
【００１１】
また、本発明の請求項５に係る自動販売機のヒンジ装置においては、請求項４記載の自動販売機のヒンジ装置において、ガイド機構は本体キャビネットの基台に設けられ、第１回転軸の軸線上に位置するガイド軸、および外扉に形成され、前記ガイド軸に嵌合するとともに外扉が第２回転軸を支点として回動する際に第１回転軸が移動する軌跡に一致した湾曲形状のガイド溝からなり、外扉が第１回転軸を支点として第１段階においてはガイド軸とガイド軸とが嵌合し、外扉が第２回転軸を支点に回動する第２段階においてはガイド軸とガイド溝との嵌合が解除されるよう構成したことにより大幅に設計変更することなく簡単な構成によりガイド機構を得ることができる。
【図面の簡単な説明】
【００１２】
【図１】本発明の実施の形態１であるヒンジ装置を備えた自動販売機における外扉を開放した状態の斜視図である。
【図２】本発明の実施の形態１である自動販売機のヒンジ装置を示す要部斜視図である。
【図３】図１に示すヒンジ装置の平面図である。
【図４】図１に示すヒンジ装置の構成部品を示し、（ａ）および（ｂ）はそれぞれ正面側および背面側から見た斜視図である。
【図５】外扉の開放状態を説明する動作状態図であり、外扉を第１段階まで開放した平面図である。
【図６】外扉の開放状態を説明する動作状態図であり、外扉を第２段階に開放した平面図である。
【図７】本発明の実施の形態２である自動販売機のヒンジ装置の構成部品を示し、（ａ）および（ｂは）それぞれ正面側および背面側から見た斜視図である。
【図８】本発明の実施の形態３である自動販売機のヒンジ装置におけるガイド機構を示し、（ａ）および（ｂ）はそれぞれ外扉の第１段階までの開放状態および第２段階に開放した状態の斜視図である。
【発明を実施するための形態】
【００１３】
以下、本発明の実施の形態１における自動販売機のヒンジ装置を図１〜図５に示す実施例に基づいて説明する。図１は本発明の実施の形態１であるヒンジ装置を備えた自動販売機における外扉を開放した状態の斜視図、図２は自動販売機のヒンジ装置を示す要部斜視図、図３は図１に示すヒンジ装置の平面図、図４は図１に示すヒンジ装置の構成部品を示し、（ａ）および（ｂ）それぞれ正面側および背面側から見た斜視図、図５および図６は外扉の開放状態を説明する動作状態図であり、図５は外扉を第１段階まで開放した平面図、図６は外扉を第２段階に開放した平面図である。
図１に示すように、この自動販売機は前面が開口した断熱筐体として形成された本体キャビネット１と、本体キャビネット１の前面に本発明に係るヒンジ装置１０により開閉可能に支持された外扉２とからなる。本体キャビネット１の開口面は開閉可能な断熱内扉３によって閉塞されて商品収納庫を画成している。本体キャビネット１の庫内は、不図示の断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
【００１４】
前記外扉２の前面の上部域はアクリル樹脂からなる透明パネル４で覆われ、この透明パネル４と外扉２に片開き式に軸支されたディスプレイ扉６との間の空間がディスプレイ室５として形成されている。前記ディスプレイ扉６の前面には、本体キャビネット１の庫内に収容した商品に対応した複数の商品見本８を左右に一列に並べて載置したディスプレイ台７が上下方向に３段取付けられている。前記透明パネル４には各ディスプレイ台７と対峙する位置に商品選択ボタンユニット９が設けられ、当該商品選択ボタンユニット９は、ディスプレイ台７に載置された各商品見本８に対応して左右に一列に並べて設けた商品選択ボタン（不図示）を有している。また、前記外扉２の前面には不図示の硬貨投入口、紙幣挿入口、返却レバー、キーロック付ハンドル（外扉ロック装置）、硬貨返却口、販売情報表示部などに加えて商品取出口２１が設けられている。さらに、前記外扉２の背面には硬貨投入口に連通したコインメカニズム２２、このコインメカニズム２２に連通した金庫２３、紙幣挿入口に連通した紙幣識別装置２４などが設けられている。なお、ディスプレイ室５の上部およびディスプレイ台７の下部には商品見本８などを明るく照らす蛍光灯などの照明光源（不図示）が配設されている。
【００１５】
次に、本発明に係るヒンジ装置１０について図２乃至図４を用いて説明する。図２および図３において、１Ａは本体キャビネット１の自動販売機の正面から見て左側側板の前端内側に取付けられた補強金具である。２Ａは外扉２を構成する厚板鋼板からなる左枠（自動販売機の正面から見た場合）である。前記外扉２は左枠２Ａに加えて不図示の上枠，右枠，下枠をそれぞれ溶接により接合した薄い箱体として形成されおり、前記上枠，右枠，左枠２１に囲まれた上部域には透明パネル４が配設され、透明パネル４の下部域には正面パネル２Ｂが取付けられている。なお、左枠２Ａには後述するヒンジ装置１０のリンク１２が貫通する貫通穴２Ａ１（図３参照）が穿孔されている。
さて、ヒンジ装置１０は本体キャビネット１の補強金具１Ａにねじにより固着された蝶番片１１を有し、この蝶番片１１の先端に形成したカール部１１１（図４参照）に第２回転軸ＨＰ２が挿通されている（第２回転軸ＨＰ２は頭付きピンとして形成されているが、図ではカール部１１１が分かるように省略している）。また、ヒンジ装置１０は両端にカール部１２１，１２２を有するリンク１２を備え、このリンク１２のカール部１２１が前記第２回転軸ＨＰ２に遊嵌され、カール部１２２が外扉２に取付けられた第１回転軸ＨＰ１に挿通されている。前記リンク１２は第１回転軸ＨＰ１および前記第２回転軸ＨＰ２に直結されており、その迂回部１２３が外扉２の内側に向けて湾曲するように折り曲げて形成されている。前記蝶番片１１のカール部１１１とリンク１２のカール部１２１（図では下側のカール部１２１）との間には付勢手段としてのコイルばね１３が巻装され、コイルばね１３の一端が蝶番片１１（本体キャビネット１）に、他端がリンク１２に係止されている。前記コイルばね１３はリンク１２を介して外扉２に常時閉塞する方向の付勢力を付与しており、図３ではリンク１２に第２回転軸ＨＰ２を中心に反時計方向に回動する付勢力を付与している。したがって、リンク１２はコイルばね１３の付勢力に抗する外力が加えられない限りは図３の状態を維持し、コイルばね１３の付勢力に抗する外力が加えられた場合に第２回転軸ＨＰ２を中心に時計方向に回動するように構成されている。なお、前記リンク１２は外扉２の左枠２Ａ（図３参照）に形成した貫通穴２Ａ１を介して第１回転軸ＨＰ１および前記第２回転軸ＨＰ２に直結されている。
【００１６】
かかる自動販売機は前記本体キャビネット１の前面を閉塞するように外扉２を閉じた後キー操作により外扉ロック装置を施錠して外扉２を閉じた状態で商用電源からの電力供給を受けて商品ディスプレイ室５内の蛍光灯を点灯制御することにより商品見本などを明るく照らし出すとともに冷却／加熱ユニットを運転制御することにより庫内の商品を冷却／加熱する。硬貨または紙幣が投入されるとコインメカニズム２２または紙幣識別装置２４で識別して投入金額を積算して販売情報表示部に表示するとともに前記投入金額と商品販売価格とを比較して商品選択ボタンの販売可能ランプを点灯制御する。商品選択ボタンが操作されると対応する商品収納ラックに搭載された商品払出機構に販売信号が供給され、この販売信号に基づいて前記商品払出機構はソレノイドの励磁・釈放動作により商品収納ラックに収納した商品を１個ずつ搬出する。なお、投入金額と商品販売価格とを演算して投入金額が商品販売価格を超えている場合にはコインメカニズム２２を制御して釣銭硬貨を払い出す。
【００１７】
次に、ヒンジ装置３の動作を図５および図６を用いて説明する。前述したように販売稼動状態の自動販売機は本体キャビネット１の前面が外扉２により閉塞されており、この状態が図３に示す状態である。前記外扉２の閉塞状態においてリンク１２はコイルばね１３により図３において反時計方向に付勢されており、コイルばね１３の付勢力に抗する外力が加えられるまでは図３の姿勢を維持している。図３に示す状態からキー操作により外扉ロック装置を開錠して外扉２を開放するとき、リンク１２がコイルばね１３の付勢力により図３の姿勢を維持しているので、外扉２は第１回転軸ＨＰ１を支点として回動する。外扉２の開放動作が進むと外扉２の左枠２１（側面板）の端部がリンク１２に除徐に接近し、外扉２が略９０°まで開放した第１段階の終了時点において左枠２１に形成した貫通穴２Ａ１（図３参照）の縁部がリンク１２に当接する（図５参照）。
【００１８】
図５に示すように左枠２１に形成した貫通穴２Ａ１の縁部がリンク１２に当接すると外扉２は第１回転軸ＨＰ１を支点とする回動ができなくなり、外扉２を開放する力がリンク１２に外力として加えられる。この外力がコイルばね１３の付勢力を超えるとリンク１２が第２回転軸ＨＰ２を支点として時計方向に回動し、これに伴い外扉２は第１回転軸ＨＰ１から第２回転軸ＨＰ２に回動支点を移して第２段階の開放動作に移行する。そして、図６に示すように外扉２が略１３５°まで開放した第２段階の終了時点で外扉２は不図示のストッパにより開放が阻止される。なお、外扉２の開放状態は外扉２と本体キャビネット１の底板（基台）に設けた案内溝付き係止部材との間に架け渡されたストッパ部材を前記係止部材の所望の係止溝に係止することにより保持される。この場合、外扉２はコイルばね１３により常時閉じる方向に付勢されていることから前記ストッパ部材と係止溝との係合状態が維持され、外扉２が風に煽られても前記ストッパ部材が係止溝から外れることがない。
【００１９】
前述したように、実施の形態１における自動販売機においては外扉２を閉じた状態から開放する場合、外扉２の開放開始時点から外扉２の側面板（左枠２１）がリンク１２に当接するまでの第１段階の期間中には外扉２は第１回転軸ＨＰ１を支点として開放し、外扉２の側面板（左枠２１）がリンク１２に当接して外扉２を開放する外力（付勢手段の付勢力に抗する外力）がリンク１２に加えられた後には第２回転軸ＨＰ２を支点として第２段階まで開放する。よって、外扉２を開放する際には従来装置のようにボルトを着脱する手間を必要とせず、外扉２の第１段階から第２段階への移行をスムーズに行うことができる。なお、外扉２を閉じる場合には図６の状態から図５の状態までは外扉２が第２回転軸ＨＰ２を支点として回動し、図５の状態から図３の閉塞状態までは第１回転軸ＨＰ１を支点として回動し、外扉２を閉じる際にも第２段階から第１段階へスムーズに移行させることができる。
【００２０】
次に、本発明の実施の形態２を図７に示す実施例に基づいて説明する。図７は本発明の実施の形態２である自動販売機のヒンジ装置１００の構成部品を示し、（ａ）および（ｂ）はそれぞれ正面側および背面側から見た斜視図である。なお、図７において図４と同一のものには同一の符号を付してその説明は省略する。
図７に示す実施の形態２のヒンジ装置１００が図４などに示す実施の形態１のヒンジ装置１０と相違する点はリンク１２０の一部の構造が異なる点である。すなわち、図７に示す実施の形態２のヒンジ装置１００のリンク１２０は弾性材料により形成されるとともにリンク１２０の一端に形成された一対のカール部１２１の間から蝶番片１１に向けて延在する係合片１２４を形成した点が実施の形態１のリンク１２と異なる点であり、リンク１２０が両端にカール部１２１，１２２を有し、前記カール部１２１，１２２を第１回転軸ＨＰ１，第２回転軸ＨＰ２に挿通してそれぞれに直結され、その迂回部１２３が外扉２の内側に向けて湾曲するように折り曲げて形成されている点は実施の形態１のリンク１２と同一である。
【００２１】
前記リンク１２０の係合片１２４は外扉２を閉じた状態で蝶番片１１に当接してリンク１２０に反時計方向の付勢力を付与するように構成されている。つまり、リンク１２０のカール部１２１を蝶番片１１のカール部１１１に取付けられた第２回動軸ＨＰ２に挿通して組付けたとき、係合片１２４は多少撓んだ状態で蝶番片１１に当接するように定められている。したがって、リンク１２０は係合片１２４の付勢力に抗する外力が加えられない限り、実施の形態１のリンク１２と同様な状態を維持し、係合片１２４の付勢力に抗する外力が加えられた場合に第２回転軸ＨＰ２を中心に時計方向に回動するように構成され、前記係合片１２４が付勢手段として機能するものである。この図７に示すヒンジ装置１２０の動作は係合片１２４が実施の形態１のヒンジ装置１０のコイルばね１３の役目をする点を除けば実施の形態１のヒンジ装置１０と同様であるので、ここではその説明を省略する。
【００２２】
前述した実施の形態におけるヒンジ装置によれば、外扉２の開放当初から外扉２の側面板（左枠２１）がリンク１２（１２０）に当接するまでの第１段階の期間中には外扉２は第１回転軸ＨＰ１を支点として開放し、外扉２の側面板（左枠２１）がリンク１２（１２０）に当接して外扉２を開放する外力（コイルばね１３若しくは係合片１２４の付勢力に抗する外力）がリンク１２（１２０）に加えられた後には第２回転軸ＨＰ２を支点として第２段階まで開放する。よって、外扉２を開放（若しくは閉成）する際に従来装置のようにボルトを着脱する手間を必要とせず、外扉２の第１段階から第２段階への移行をスムーズに行うことができる。一方、外扉２を第２段階まで開放させた場合、外扉２を第１段階まで開放する際の軸となる第１回転軸が本体キャビネット１の外部に移動するので、外扉２自身の荷重や外扉２に加えられる外力によって本体キャビネット１の前面を閉塞するように外扉２を閉じた際に第１回転軸が元の定位置からずれるおそれがある。つまり、本体キャビネット１に対して外扉２の位置関係がずれるおそれがあり、このようなずれが生じた場合には次のような不具合がある。すなわち、本体キャビネット１の前面を閉塞するように外扉２を閉じた際には外扉２および本体キャビネット１にそれぞれ設けた係合部材同士が係合し、外扉２を開放する際、外扉２の前面に配設したキーロック付ハンドル（外扉ロック装置）のハンドル操作により両者の係合状態を解除するように構成されていることから、本体キャビネット１に対して外扉２の位置関係がずれると両者が係合しなくなるおそれがある。
【００２３】
そこで、フェールセールとして設けたガイド機構により前述した実施の形態におけるヒンジ装置においても本体キャビネット１との位置関係を維持できるようにした実施の形態３について図８を用いて説明する。図において、１で再び本体キャビネットを示し、２で外扉を示し、２Ａで外扉２の左枠（側面板）を示している。図において、本体キャビネット１の基台１Ｂにおける左端前面側隅部には取付金具２１０が固着され、この取付金具２１０には鉛直方向に延在するガイド軸２２０が植設されている。一方、外扉２の左枠２Ａの下端には湾曲したガイド溝２３０が形成されたガイド板２４０が取付けられている。前記取付金具２１０に植切されたガイド軸２２０およびガイド板２４０に形成されたガイド溝２３０がガイド機構を構成する。ここで、前記ガイド軸２２０は外扉２が閉じた状態から略９０°まで開放する第１段階の回動軸となる第１回転軸ＨＰ１の軸線上に位置している。また、ガイド溝２３０は外扉２が第１段階から第２段階の略１３５°まで開放する際（つまり、外扉２が図５の状態から図６の状態に開放する際）に第１回転軸ＨＰ１が移動する軌跡に一致するものであり、ガイド溝２３０の開放端部２Ｃ１の幅寸法がガイド軸２２０の直径よりも比較的大きい寸法に定められているのに対し、ガイド軸２２０が嵌合する閉塞端部２Ｃ２の幅寸法はガイド軸２２０の直径よりも僅かに大きい寸法に定められている。そして、前記ガイド溝１Ｄの閉塞端部２Ｃ２の位置は当該閉塞端部２Ｃ２にガイド軸２２０が嵌合した状態で外扉２の第１段階の開閉が行われるように定められている。なお、ヒンジ装置は前述した実施の形態１若しくは実施の形態２に記載の何れかのヒンジ装置１０，１００が用いられ、以下の説明では当該ヒンジ装置１０，１００により外扉２が第１段階、第２段階と開放するものとする。
【００２４】
さて、図の（ａ）は外扉２が第１段階の略９０°まで開放した状態、（ｂ）は前記第１段階から第２段階に移行して略１３５°まで開放した状態を示しており、外扉２が本体キャビネット１の開口を閉塞するよう閉じた状態から略９０°まで開放する期間中にはガイド溝２３０の閉塞端部２Ｃ２にガイド軸２２０が嵌合した状態を維持している。つまり、外扉ロック装置が正常に機能するように本体キャビネット１と外扉２との位置関係が維持されている状態である。そして、外扉２が第１段階から第２段階に移行すると、ガイド板２４０が外扉２とともに移動することによりガイド溝２３０とガイド軸２２０との相対的な移動によりガイド軸２２０がガイド軸２Ｃから脱出する。この場合、ガイド溝２３０は外扉２が第１段階から第２段階の略１３５°まで開放する際（つまり、外扉２が図５の状態から図６の状態に開放する際）に第１回転軸ＨＰ１が移動する軌跡に一致するように形成されていることから、本体キャビネット１と外扉２との位置関係がずれていない場合には外扉２が第２段階に移行して略１３５°まで開放する期間中においてガイド軸２２０がガイド溝２３０の側壁に当接して擦れ合うことはない。仮に、本体キャビネット１に対して外扉２の位置関係がずれている場合には外扉２が第２段階に移行する段階でガイド軸２２０がガイド溝２３０の側壁に擦れ合うもののガイド溝２３０の開放端部２Ｃ１の幅寸法がガイド軸２２０の直径よりも比較的大きく形成されていることから、外扉２の開放が進行するにしたがって両者の擦れ合いは解消される。
【００２５】
次に、図の（ｂ）に示すように外扉２を略１３５°まで開放した状態から閉じる場合、ガイド溝２３０から脱出していたガイド軸２２０が相対的な移動によりガイド溝２３０に嵌合し始める。この場合、外扉２がその荷重や外力により本体キャビネット１に対して位置関係がずれていたとしてもガイド溝２３０の開放端部２Ｃ１の幅寸法がガイド軸２２０の直径よりも比較的大きく余裕をもたせて形成されていることからガイド溝２３０とガイド軸２２０との嵌合はスムーズに行われる。そして、外扉２を略９０°の第１段階まで閉じて行く過程においてガイド軸２２０がガイド溝２３０の閉塞端部２Ｃ２に向けて嵌まり込み、第２段階から第１段階に移行する際にガイド軸２２０がガイド溝２３０の閉塞端部２Ｃ２に移動して図の（ａ）に示す状態となる。つまり、本体キャビネット１に対して外扉２の位置ずれが生じている場合にも本体キャビネット１の開口を閉塞するように外扉２を閉じるとガイド機構２００により外扉２の位置ずれを矯正して外扉ロック装置を正常に機能させえることができる。
【００２６】
なお、前述した実施の形態３において、取付金具２１０に植設されたガイド軸２２０は基台1Ｂに直接植設してもよく、また、厚板鋼板からなるガイド板２４０に形成されたガイド溝２３０は外扉２を形成する左枠２Ａ（ダブルボールドなどにより強度を高める必要がある）に一体に形成してもよく、実施の形態に限られるものではない。
【符号の説明】
【００２７】
１    本体キャビネット
２    外扉
１０、１００    ヒンジ機構
１１    蝶番片
１２    リンク
３３    コイルばね（付勢手段）
１２０    リンク（弾性部材）
１２４    係合片（可撓性）
２００    ガイド機構
２２０    ガイド軸
２３０    ガイド溝
【図１】
2010003289.tif 000003
【図２】
2010003289.tif 000004
【図３】
2010003289.tif 000005
【図４】
2010003289.tif 000006
【図５】
2010003289.tif 000007
【図６】
2010003289.tif 000008
【図７】
2010003289.tif 000009
【図８】
2010003289.tif 000010